(57)【特許請求の範囲】
【請求項１】
提示された複数のディスプレイの種類を表す選択肢から現在使用するディスプレイの種類をユーザが選択した後、選択された種類の前記ディスプレイの周辺照明の輝度特性を設定する方法であって、
（ａ）前記ディスプレイに基づいて基準輝度を決定する段階であって、基準輝度は、基準輝度＝ｆ（コントラスト指数）＊（ディスプレイの基本輝度）＋ｆ（輝度指数）と表され、コントラスト指数の関数ｆ（コントラスト指数）及び輝度指数の関数ｆ（輝度指数）は予め定義されている、段階；
（ｂ）前記ディスプレイが使われる場所に関する情報を取得して、前記基準輝度と前記場所に関する情報とによって、所定の輝度区間ごとの照度値を設定する段階と、
（ｃ）予め設定された周辺照明の照度と基準映像の輝度との対照関係に基づいて、所定の基準映像の輝度を前記輝度区間に対応する照度値に輝度値をそれぞれ変換して前記ユーザに映像表示し、該ユーザによる表示映像の選択に基づき前記ディスプレイの周辺照明の照度に最もよく適合すると判断される映像の輝度が選択される段階と、を含むことを特徴とする方法。
【請求項２】
前記（ａ）段階は、
（ａ１）前記ディスプレイの黒レベルを設定するために、相互重畳された複数のグレーパターンを表示する段階と、
（ａ２）前記ディスプレイのコントラスト指数を最大に設定し、輝度指数を最小に設定した後、輝度指数を増加させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定する段階と、を含むことを特徴とする請求項１に記載の方法。
【請求項３】
前記（ａ）段階は、
（ａ１）前記ディスプレイの白レベルを設定するために、相互重畳された複数のグレーパターンを表示する段階と、
（ａ２）あらかじめ設定された輝度指数は固定したまま、前記ディスプレイのコントラスト指数を最大に設定した後、該コントラスト指数を減少させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定する段階と、を含むことを特徴とする請求項１に記載の方法。
【請求項４】
前記（ａ）段階は、
（ａ１）前記ディスプレイの種類を決定する段階と、
（ａ２）前記ディスプレイが自発光型である場合に前記ディスプレイの黒レベルを設定するために、相互重畳された複数のグレーパターンを表示する段階と、
（ａ３）前記ディスプレイが透過型である場合に前記ディスプレイの白レベルを設定するために、相互重畳された複数のグレーパターンを表示する段階と、
（ａ型）前記ディスプレイが自発光型である場合には前記ディスプレイの輝度調節器を利用して輝度指数を調整し、前記ディスプレイが透過型である場合には前記ディスプレイのコントラスト調節器を利用してコントラスト指数を調整して、前記グレーパターン間が視覚的に区別されるか否かによって前記基準輝度を決定する段階と、を含むことを特徴とする請求項１に記載の方法。
【請求項５】
前記グレーパターンは隣接したグレーパターンと部分的に重なることを特徴とする請求項２から請求項４のいずれか一項に記載の方法。
【請求項６】
前記グレーパターンは隣接したグレーパターンと視覚的に均等な色空間で所定数の色差を有することを特徴とする請求項２から請求項４のいずれか一項に記載の方法。
【請求項７】
前記（ａ４）段階は、
前記ディスプレイが自発光型である場合に、前記ディスプレイのコントラスト指数を最大に設定し、輝度指数を最小に設定した後、輝度指数を増加させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定することを特徴とする請求項４に記載の方法。
【請求項８】
前記（ａ４）段階は、
前記ディスプレイが透過型である場合に、あらかじめ設定された輝度指数は固定したまま、前記ディスプレイのコントラスト指数を最大に設定した後、コントラスト指数を減少させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定することを特徴とする請求項４に記載の方法。
【請求項９】
前記コントラスト指数の関数値は、ｆ（コントラスト指数）＝コントラスト指数＋０．５により計算され、前記輝度指数の関数値は、ｆ（輝度指数）＝１００＊（輝度指数）−５０により計算されることを特徴とする請求項２、３、７又は８に記載の方法。
【請求項１０】
前記（ｃ）段階は、
前記場所に関する情報および前記ユーザにより選択された輝度区間に対応する所定の基本変換量を、前記基準映像の輝度値に対して加算ないし減算することにより、前記基準映像の輝度を変換することを特徴とする請求項１に記載の方法。
【請求項１１】
前記（ｃ）段階は、
前記基本変換量が負数であり、前記映像の輝度値が前記基本変換量の絶対値の所定数倍より小さければ、前記輝度値に前記所定数の逆数を乗算した値を前記基準映像の輝度値から減算することにより、前記映像の輝度を変換することを特徴とする請求項１０に記載の方法。
【請求項１２】
前記（ｃ）段階は、
前記基本変換量が正数であり、前記映像の輝度値と最大輝度値間の差が前記基本変換量の絶対値の所定数倍より小さければ、前記映像の輝度値と最大輝度値間の差に前記所定数の逆数を乗算した値を前記輝度値に加算することにより、前記映像の輝度を変換することを特徴とする請求項１０に記載の方法。
【請求項１３】
請求項１ないし請求項１２のうちいずれか１項に記載の方法を、コンピュータで読取り、実行可能なプログラムコードで書き込んだ記録媒体。
【発明の詳細な説明】
【技術分野】
【０００１】
本発明は、ディスプレイ装置周辺の照明輝度を視覚的に測定する方法に係り、特に、映像ディスプレイ装置の使用場所を考慮して設定した輝度から、ユーザの視覚により使用中のディスプレイ装置周辺の輝度を測定する方法に関する。
【背景技術】
【０００２】
一般に、入力装置と出力装置の間のカラーマッチング（色一致）のためには、色管理（カラーマネジメント）システムが使用される。色管理システムでは入力装置・出力装置それぞれの色特性を参照して多様な色変換方法によってカラーマッチングを行う。周辺照明の色および輝度はディスプレイ装置の生成する色に対する人の知覚（視覚的印象）に影響を与える主要な因子であって、色管理システムでこれを考慮してカラーマッチングを行うことが最近の傾向である。
【０００３】
色管理システムでは、カラーマッチングのために、入力装置と出力装置のそれぞれの色特性を入力として要求するが、このような各装置の色特性は、色特性を記述するコンピュータデータファイルであるプロファイルから取得される。プロファイルは一定の形式を備えており、例えば、あるディスプレイ装置と他の色再現装置との間でカラーマッチングを行うためには、色管理システムは、そのディスプレイ装置のプロファイルが必要となる。
【０００４】
色特性プロファイルは、ディスプレイメーカーにより提供されるが、一般に、ディスプレイメーカーが提供する色特性プロファイルは、ある固定された周辺照明の状態で適用することができるプロファイルである。したがって、色管理システムは、ディスプレイメーカーで設定した１つの色特性条件でのみこの色特性プロファイルを使用することができる。しかし、メーカーで設定したディスプレイ装置の色特性条件は、多様なユーザの色特性変更に対する要求を満たすものではない。ディスプレイが使用される環境の変化によって周辺照明が変わると、人が知覚するディスプレイ装置の色特性も変化するが、メーカーで設定されたプロファイルはこのような変化を反映できないことが問題となる。このように、色特性プロファイルにおいて変化を反映できなければ、入出力装置間のカラーマッチングを達成することは困難である。
【０００５】
ディスプレイ装置の使用環境の変化やユーザによって変更された新しい色特性を測定するための従来技術として、測色器（例えば、測色計colorimeters、測光器photometers ないし分光放射計spectroradiometers等）を使用する方法が、特許文献１に開示されている。測色器を使用した測定は正確であるという長所がある一方、コストが嵩むという短所があり、ユーザが直接測定器を設置して操作することは非常に煩瑣であるため、ディスプレイ装置の一般ユーザが扱うのは容易でない。
【０００６】
一方、前述のコストの問題を克服するものとして、視覚的にディスプレイ装置および周辺照明の色特性を測定する方法が特許文献２、特許文献３、特許文献４、特許文献５、および特許文献６にそれぞれ開示されている。しかし、これらの視覚的特性測定方法でも、例えば、特許文献２、３、４、および５の技術は、周辺照明の色特性とディスプレイ装置の色温度とを測定するためにカラーマッチングカードを別途備え、使用するものであり、これによる追加コストの発生は免れない。また、特許文献６の技術は、周辺照明の色および輝度特性を得る方法を提示するものではない。
【特許文献１】米国特許第５,４９９,０４０号明細書
【特許文献２】米国特許第５,６３８,１１７号明細書
【特許文献３】米国特許第５,７９１,７８１号明細書
【特許文献４】米国特許第５,８７０,０６９号明細書
【特許文献５】米国特許第５,９５６,０１５号明細書
【特許文献６】米国特許第６,０７８,３０９号明細書
【発明の開示】
【発明が解決しようとする課題】
【０００７】
本発明が解決しようとする技術的課題は、測色器やマッチングカードを別途設ける必要がなく、低コストでディスプレイ（装置）周辺照明の輝度を測定する方法を提供することである。すなわち、映像ディスプレイ装置を最適の階調再現状態に設定し、ディスプレイ装置の使用場所を考慮して設定したいくつかの輝度の区間に対応する異なる輝度の映像をディスプレイ装置に表示して、ユーザに周辺照明の輝度と比較させ周辺照明輝度に最も近い輝度を有する輝度の区間を選択させて、その結果から現在使用しているディスプレイ装置周辺の照明の輝度を測定する方法を提供することを課題とする。
【課題を解決するための手段】
【０００８】
前述した技術的課題を解決するための本発明のディスプレイ周辺照明の輝度特性を視覚的に測定する方法は、（ａ）前記ディスプレイの種類によって基準輝度を決定する段階と、（ｂ）ユーザの選択に基づき前記ディスプレイが使われる場所に関する情報を取得して、前記基準輝度と前記場所に関する情報とによって、所定の輝度区間ごとの輝度値を設定する段階と、（ｃ）所定の基準映像の輝度を前記輝度区間に対応する輝度値にそれぞれ変換して前記ユーザに表示し、該ユーザの選択に基づきディスプレイ周辺の照明に最も近い映像に関する情報を取得することにより、周辺照明の輝度を測定する段階と、を含む。
【０００９】
また、前述したディスプレイ周辺照明の輝度特性を視覚的に測定する方法の（ａ）段階は、（ａ１）前記ディスプレイの黒レベルを設定するために、相互重畳された複数のグレーパターンを表示する段階と、（ａ２）前記ディスプレイのコントラスト指数を最大に設定し、輝度指数を最小に設定した後、輝度指数を増加させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定する段階と、を含むことが望ましい。
【００１０】
また、前述したディスプレイ周辺照明の輝度特性を視覚的に測定する方法の（ａ）段階は、（ａ１）前記ディスプレイの白レベルを設定するために、相互重畳された複数のグレーパターンを表示する段階と、（ａ２）あらかじめ設定された輝度指数は固定したまま、前記ディスプレイのコントラスト指数を最大に設定した後、該コントラスト指数を減少させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定する段階と、を含むことが望ましい。
【００１１】
また、前述したディスプレイ周辺照明の輝度特性を視覚的に測定する方法の（ａ）段階は、（ａ１）前記ディスプレイの種類を決定する段階と、（ａ２）前記ディスプレイが自発光型である場合に前記ディスプレイの黒レベルを設定するために、相互重畳された複数のグレーパターンを表示する段階と、（ａ３）前記ディスプレイが透過型である場合に前記ディスプレイの白レベルを設定するために、相互重畳された複数のグレーパターンを表示する段階と、（ａ４）前記ディスプレイが自発光型である場合には前記ディスプレイの輝度調節器を利用して輝度指数を調整し、前記ディスプレイが透過型である場合には前記ディスプレイのコントラスト調節器を利用してコントラスト指数を調整して、前記グレーパターン間が視覚的に区別されるか否かによって前記基準輝度を決定する段階と、を含むことが望ましい。
【００１２】
また、前述のディスプレイ周辺照明の輝度特性を視覚的に測定する方法において、前記グレーパターンは隣接したグレーパターンと部分的に重なり、隣接したグレーパターンと視覚的に均等な色空間で所定数の時差を有することが望ましい。また、前述した（ａ４）段階は、前記ディスプレイが自発光型である場合に、前記ディスプレイのコントラスト指数を最大に設定し、輝度指数を最小に設定した後、輝度指数を増加させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定することが望ましく、前記ディスプレイが透過型である場合に、あらかじめ設定された輝度指数は固定したまま、前記ディスプレイのコントラスト指数を最大に設定した後、コントラスト指数を減少させて、前記隣接したグレーパターンが視覚的に区別されるようになる瞬間の輝度であって、ディスプレイの基本輝度にコントラスト指数の関数値を乗算し、輝度指数の関数値を加算した値を、ディスプレイの基準輝度と決定することが望ましい。
【００１３】
また、前述したディスプレイ周辺照明の輝度特性を視覚的に測定する方法の（ｃ）段階は、前記場所に関する情報および前記ユーザにより選択された輝度区間に対応する所定の基本変換量を、前記基準映像の輝度値に対して加算ないし減算することにより、前記基準映像の輝度を変換することが望ましい。すなわち、前記基本変換量が負数であり、前記映像の輝度値が前記基本変換量の絶対値の所定数倍より小さければ、前記輝度値に前記所定数の逆数を乗算した値を前記基準映像の輝度値から減算することにより、前記映像の輝度を変換するよう構成することができる。また、前記基本量が正数であり、前記映像の輝度値と最大輝度値間の差が前記基本変換量の絶対値の所定数倍より小さければ、前記映像の輝度値と最大輝度値間の差に前記所定数の逆数を乗算した値を前記輝度値に加算することにより、前記映像の輝度を変換するよう構成することができる。
【発明の効果】
【００１４】
本発明によれば、測色器やマッチングカードなどを別途に必要とせずに、視覚的にディスプレイの周辺照明の輝度を測定可能であり、したがって、映像表示のためにディスプレイを装備した多様な装置に低コストで適用可能であり、ユーザ環境に適切に対応して映像の色および輝度特性を変換することができる。また、ディスプレイ装置の色プロファイルの作成時にも本発明によって測定された周辺照明色を利用することができる。
【発明を実施するための最良の形態】
【００１５】
以下、添付図面を参照して本発明の実施形態によるディスプレイ周辺照明の輝度特性を視覚的に測定する方法を説明する。
【００１６】
図１は、本発明の一実施形態によるディスプレイ周辺照明の輝度特性を視覚的に測定する方法を説明するフローチャートである。図１に示すように、本発明の方法は、ディスプレイの最適階調再現状態を設定する段階（Ｓ１００）と、ディスプレイの使用場所を設定する段階（Ｓ２００）と、周辺照明の輝度水準を測定する段階（Ｓ３００）と、を含む。
【００１７】
また、第Ｓ１００段階は、使用するディスプレイの種類を選択する段階（Ｓ１２０）と、基準輝度水準を設定する段階（Ｓ１４０）と、を含み、第Ｓ３００段階は使用場所および各輝度区間によって変換された映像をユーザに表示する段階（Ｓ３２０）と、表示された映像と周辺照明の輝度が最も近い輝度区間を選択する段階（Ｓ３４０）と、を含む。
【００１８】
まず、ディスプレイの最適階調再現状態を設定する段階（Ｓ１００）を説明する。ユーザは、提示されたディスプレイの種類を表す選択肢から現在使用するディスプレイの種類を選択する。具体的には、ユーザは、使用するディスプレイが、陰極線管（ＣＲＴ：Cathode Ray Tube）のような自発光型ディスプレイであるか、または液晶ディスプレイ（ＬＣＤ：Liquid Crystal Display）のように透過型ディスプレイであるかを判断し、該当する項目を選択する（Ｓ１２０）。
【００１９】
その後、選択されたディスプレイの種類によって基準輝度を決定する（Ｓ１４０）。基準輝度決定方法には、黒レベル設定または白レベル設定の２つの方法がある。黒レベル設定にするか白レベル設定にするかは、使用するディスプレイの種類によって決定される。本発明のように、表示された映像と周辺照明の輝度とを比較してその周辺照明の輝度を測定しようとする場合、基準輝度を正確に決定することが重要である。
【００２０】
基準輝度の決定において、自発光型ディスプレイ、例えばＣＲＴディスプレイの場合、黒レベルを適切に下げることが重要であり、反射あるいは透過型のディスプレイ、例えばＬＣＤの場合、白レベルを適切に高めることが重要である。本発明では、このためにＣＲＴとＬＣＤによって異なる方法で最適階調再現状態を設定し、多数のグレーパターンの対比を利用する。まず、ＣＲＴディスプレイのための黒レベル設定方法を、図２Ａを参照して説明する。
【００２１】
図２Ａは、黒レベルを設定するためのグレーパターンの一例を示した図面である。図２Ａに示すように、中心部には半径の大きい４つのグレーの円を重ねたパターンを配置し、その左右には小さな半径の４つのグレーの円を重ねたパターンを配置してある。中心部および左右側に同じ形態のグレーパターンを配置したが、これはＯＳＤ（On Screen Display）を採用した一部ディスプレイの場合、その制御ウィンドウが画面中央に現れて画面中心部に配置したグレーパターンが遮られることがあるためである。
【００２２】
３つのグレーパターンそれぞれにおいて、一部が重なったそれぞれのグレー円形パターンは、上段部の円形パターンから逆時計回りに順番に配置されており、上段部の円形パターンと右側の円形パターンの間の色差を除き、それぞれの隣接するグレーパターンの円の色差は、国際照明委員会（Commission Internationale de L'Eclairage：ＣＩＥ）で１９７６年に提案された均等色空間であるＣＩＥ ＬＡＢ色空間で、色差が１になるように構成されている。すなわち、図２Ａで４つのグレー円のうち上段部の円１０、１１、１２と左側の円２０、２１、２２との色差は、ΔＥａ*ｂ*＝１であり、左側の円２０、２１、２２と下段部の円３０、３１、３２との色差は、ΔＥａ*ｂ*＝１であり、下段部の円３０、３１、３２と右側の円４０、４１、４２との色差はΔＥａ*ｂ*＝１である。ここで、上段部の円は当該ディスプレイが表示できる最も暗い色を有するものに設定されている。したがって、上段部の円を表現するために入力されるデジタル値は０となる。
【００２３】
次に、図２Ａに示すグレーパターンを利用して基準輝度を決定する方法を説明する。ユーザは、まず、ディスプレイのコントラスト調節器を利用してコントラスト指数を最大に調整し、ディスプレイの輝度調節器を利用して輝度指数を最小に調整する。その後、ユーザは輝度指数を少しずつ増加させながら、図２Ａに重ねられた４つのグレー円形が相互区分され始めたところで、輝度指数調整を止める。この時のディスプレイ輝度指数およびコントラスト指数がディスプレイの基準輝度を決定する。言い換えれば、ディスプレイの基準輝度は、“基準輝度＝ｆ（コントラスト指数）＊（ディスプレイの基本輝度）＋ｆ（輝度指数）”のように表現することができる。ここで、ディスプレイの基本輝度は、特定状態、たとえばメーカーでディスプレイを出荷する時の、輝度指数およびコントラスト指数状態での輝度（ｃｄ／ｍ2）値とすることができる。また、ｆ（コントラスト指数）およびｆ（輝度指数）は、“ｆ（コントラスト指数）＝コントラスト指数＋０.５”、“ｆ（輝度指数）＝１００＊（輝度指数）−５０”のような関数の形式で表現することができるが、この関数の変数としてのコントラスト指数および輝度指数は、その最小値、最大値がそれぞれ０と１で表現される。関数ｆ（コントラスト指数）および関数ｆ（輝度指数）はディスプレイの特徴を表すものであり、あらかじめ定義される。ディスプレイの基準輝度はディスプレイの基本輝度の単位で表現される。
【００２４】
一方、図２Ｂは、ディスプレイの種類が透過型である場合に白レベルを設定するためのグレーパターンの一例を示した図面である。図２Ｂのグレーパターンの構造は図２Ａに示すグレーパターンの構造と同一であり、図２Ａの場合と同じく、上段部の円形パターンと右側円形パターンとの色差を除き、それぞれの隣接する円形パターン間の色差は、ＣＩＥ ＬＡＢ色空間で１になるように構成されている。図２Ｂで４つのグレー円形パターンのうち上段部の円５０、５１、５２と左側の円６０、６１、６２との色差はΔＥａ*ｂ*＝１であり、左側の円６０、６１、６２と下段部の円７０、７１、７２との色差はΔＥａ*ｂ*＝１であり、下段部の円７０、７１、７２と右側の円８０、８１、８２との色差はΔＥａ*ｂ*＝１である。ここで上段部の円は該当ディスプレイが表示できる最も明るい値を有するものと設定されている。すなわち、円形パターンを８ビット（bits）で表現するとその（上段部の）円形パターンを表現するために入力されるデジタル値は２５５である。
【００２５】
次に、図２Ｂに示すグレーパターンを利用して基準輝度を決定する方法を説明する。まず、ユーザはディスプレイのコントラスト調節器を利用してコントラスト指数を最大に調整し、ディスプレイのコントラスト指数を少しずつ減少させて、図２Ｂに示す重ねられた４つの円形グレーパターンが相互区分されたところで、コントラスト指数の調整を止める。輝度指数はユーザが設定した初期状態を維持する。この時のディスプレイ輝度指数およびコントラスト指数がディスプレイの基準輝度を決定する。
【００２６】
図１を再び参照すると、ディスプレイの基準輝度が決定された（Ｓ１４０）後、ディスプレイが使われる使用場所が設定される（Ｓ２００）。ここで、ディスプレイの使用場所を設定するために、ユーザに、図３に示すようなディスプレイが使われる場所を例示した選択メニューが提示される。使用可能な場所として２つ以上を提示することもできる。例えば、図３に示すように、家と事務室との２種類とする場合が想定され、それぞれの場所を象徴する字や絵で提示することができる。ユーザは提示された選択メニューから１つを選択することによってディスプレイの使用場所を設定する。
【００２７】
また、ディスプレイの使用場所設定段階（Ｓ２００）では、先行するＳ１００段階で設定された基準輝度と、Ｓ２００段階で選択された使用場所とによって、輝度区間別照度値を別に設定する。その例を次の表１に表した。
【００２８】
【表１】
0004773068.tif 000002
【００２９】
一方、Ｓ１４０段階で基準輝度が設定され、Ｓ２００段階で使用場所が設定された後、Ｓ３００段階で、周辺照明の輝度水準を測定する。具体的には、まず周辺照明の輝度水準を決定するためのユーザインタフェースがユーザに提示され（Ｓ３２０）、ユーザはユーザインタフェースに示された映像を参照して周辺照明の輝度を選択することによって（Ｓ３４０）、周辺照明の輝度が測定される（Ｓ３００）。図４にユーザインタフェースの一例を図示した。図４に示すように、ユーザインタフェースは、所定数の輝度区間と、設定された場所と設定された輝度区間とによる基準映像と、をユーザに表示する。
【００３０】
この時、各輝度区間は、表１および図４に示すように、「とても明るい」、「やや明るい」、「普通」、「やや暗い」、「とても暗い」などの５段階の心理的認知量により、表現することができる。ユーザインタフェースに表示された基準映像は表１に示すような、各輝度区間に対応する照度に映像の輝度値が変換された映像である。
【００３１】
図１に示すように、ユーザがユーザインタフェースを通じて提示された輝度値選択メニューで特定輝度区間を選択すれば、選択された輝度区間に対応する照度値に輝度が変換された所定の映像が共に表示され（Ｓ３２０）、ユーザは表示された映像の輝度を周辺の輝度と比較して、周辺の輝度と最も近い輝度を表す映像に対応する輝度区間を最終選択する（Ｓ３４０）。このように選択された輝度区間に対応する輝度値が現在のディスプレイ周辺照明の輝度値として測定される。
【００３２】
図５を参照して、前述したＳ３２０段階における各輝度区間によって基準映像の輝度を変換する方法の例を次の数式１を参照して説明する。
【００３３】
【数１】
0004773068.tif 000003
【００３４】
数式１で基本輝度区間（例えば、「普通」）での映像信号の信号値をＩとし、各輝度区間別に変換された映像信号の値をＯとする。また、ΔＩは変換量を意味する。映像信号の各チャンネルＲｅｄ、Ｇｒｅｅｎ、Ｂｌｕｅに対して同じ数式の適用が可能であり、ΔＩは選択された輝度区間および設定された場所によって互いに異なる値を有する。
【００３５】
場所および輝度区間によって映像の変換量を決定する関数の一例を示した図５を参照して、ΔＩ値がどのように決定されるかを説明する。まず、輝度区間および設定された場所によって変わる基本変換量であるΔＢが決定される。例えば、図５で示すように輝度区間が「とても明るい」であって、設定された場所が「場所１」である場合、ΔＢ＝６０となる。このように、使用場所および輝度区間により決定する基本変換量ΔＢの値は、関数の形態か、ルックアップテーブルの形態であらかじめ設定される。基本変換量が決定されれば、入力値Ｉによって最終変換量であるΔＩが決定される。基本変換量によって最終変換量を決定する方法は、次のように多様な方法がある。
【００３６】
まず、もしΔＢが０より小さな値であって、Ｉの絶対値がΔＢの絶対値の所定数ｋ倍より小さければ、ΔＩは（１／ｋ）×Ｉの値を有する。すなわち、変換された映像の信号値は次の数式２のように表現される。
【００３７】
【数２】
0004773068.tif 000004
【００３８】
一方、Ｉの絶対値がΔＢの絶対値の所定数ｋ倍より大きければ、ΔＩはΔＢの値を有すると決定され、次の数式３のように変換された映像の信号値が決定される。
【００３９】
【数３】
0004773068.tif 000005
【００４０】
一方、もしΔＢが０より大きい値であって、ＭａｘＩが入力信号値が有する最大値とする時、（ＭａｘＩ−Ｉ）の絶対値がΔＢの絶対値の所定数ｋ倍より小さければ、ΔＩは（ＭａｘＩ−Ｉ）の１／ｋ倍と決定され、変換された信号値は次の数式４のように表現される。
【００４１】
【数４】
0004773068.tif 000006
【００４２】
一方、（ＭａｘＩ−Ｉ）の絶対値がｋ倍のΔＢの絶対値の所定数ｋ倍より大きければ、ΔＩはΔＢの値を有することと決定され、変換された映像の信号値は前述した数式３のように表現される。前述した方法の外にも各輝度区間によって映像を変換するために用いられる方法として多様な例がありうることは当業者に自明なことである。
【００４３】
本発明はまたコンピュータで読取り可能な記録媒体にコンピュータ可読コード（プログラム）として具現することが可能である。コンピュータ可読記録媒体はコンピュータシステムによって読み込まれるデータが保存されるあらゆる種類の記録（記憶）装置を含む。コンピュータ可読記録媒体の例としては、ＲＯＭ（Read-Only Memory）、ＲＡＭ（Random-Access Memory）、ＣＤ−ＲＯＭ（Compact Disk-Read-Only Memory）、磁気テープ、フレキシブルディスク、光データ記憶装置などがあり、またキャリアウェーブ（例えば、インターネットを通した伝送）の形態に具現されるものも含む。また、コンピュータ可読記録媒体はネットワークで連結されたコンピュータシステムに分散されて、分散方式でコンピュータ可読コードが保存されて実行されるものであってもよい。
【００４４】
これまで本発明についてその好ましい実施の形態を中心として説明した。本発明が属する技術分野における当業者であれば、本発明が本発明の本質的な特性から外れない範囲で変形された他の様々な形態に具現されうることが理解できるであろう。したがって、開示された実施の形態は、これにより限定解釈されるべきものとしてではなく、その本質を理解するための説明として理解されるべきものである。本発明の範囲は、特許請求の範囲に記載されており、それと同等な範囲内にあるあらゆる差異点は本発明に含まれたものと解釈されるものとする。
【産業上の利用可能性】
【００４５】
本発明は映像の色特性測定に利用される。視覚的にディスプレイの周辺照明の輝度を測定することが可能であり、ディスプレイを装備した多様な装置において、低コストでユーザ環境に適切に対応して映像の色および輝度特性を変換しようとする場合に適用可能である。また、ディスプレイ装置の色プロファイル作成時にも本発明によって測定された周辺照明色を利用することができる。
【図面の簡単な説明】
【００４６】
【図１】本発明の望ましい実施例によるディスプレイ周辺照明の輝度特性を視覚的に測定する方法を説明するフローチャートである。
【図２Ａ】ディスプレイの最適の階調再現状態を設定するためのグレーパターンを示した図面である。
【図２Ｂ】ディスプレイの最適の階調再現状態を設定するためのグレーパターンを示した図面である。
【図３】ディスプレイ装置の使用場所設定のためのユーザインタフェースの一例を示した図面である。
【図４】周辺照明の輝度水準を決定するためのユーザインタフェースの一例を示した図面である。
【図５】場所および輝度区間によって映像の変換量を決定する関数の一例を示した図面である。
【図１】
0004773068.tif 000007
【図５】
0004773068.tif 000008
【図２Ａ】
0004773068.tif 000009
【図２Ｂ】
0004773068.tif 000010
【図３】
0004773068.tif 000011
【図４】
0004773068.tif 000012